(57)【要約】【課題】今後の不正コピーの抑制に繋げることができるコンテンツ再生装置を提供することである。【解決手段】コンテンツ再生装置は、コンテンツを再生する再生部と、再生するコンテンツが不正コピーされたコンテンツか否かを判別する判別部と、不正コピーされたコンテンツの再生を制限する再生制限部と、再生を制限した回数を記憶する記憶部と、第１所定回数以上再生を制限した場合に適時警告を出力する警告出力部と、を備える。【選択図】図２
2014170608.tif 000002
【特許請求の範囲】
【請求項１】
コンテンツを再生する再生部と、
再生するコンテンツが不正コピーされたコンテンツか否かを判別する判別部と、
不正コピーされたコンテンツの再生を制限する再生制限部と、
再生を制限した回数を記憶する記憶部と、
第１所定回数以上再生を制限した場合に適時警告を出力する警告出力部と、を備えたコンテンツ再生装置。
【請求項２】
前記警告出力部は、第１所定期間に第１所定回数以上再生を制限した場合に適時警告を出力することを特徴とする請求項１記載のコンテンツ再生装置。
【請求項３】
前記警告の出力は、コンテンツ再生装置を起動する度に行われることを特徴とする請求項１又は２記載のコンテンツ再生装置。
【請求項４】
前記警告の出力は、不正コピーされたコンテンツを再生する度に行われることを特徴とする請求項１〜３の何れかに記載のコンテンツ再生装置。
【請求項５】
前記警告出力部は、第１所定期間経過後に警告の出力を停止することを特徴とする請求項３又は４記載のコンテンツ再生装置。
【請求項６】
前記警告出力部は、第１所定期間に再生を制限した回数が第１所定回数より多い第２所定回数以上であった場合、第１所定期間に続く第１所定期間と同じ長さの第２所定期間では第１所定回数より少ない第３所定回数以上再生を制限した場合に適時警告を出力することを特徴とする請求項５記載のコンテンツ再生装置。
【請求項７】
前記警告出力部は、第１所定期間に再生を制限した回数が第１所定回数より多い第２所定回数以上であった場合、第１所定期間に続く第２所定期間を第１所定期間より長くし、第２所定期間に第１所定回数以上再生を制限した場合に適時警告を出力することを特徴とする請求項５記載のコンテンツ再生装置。
【請求項８】
第１所定期間の長さは第１所定期間開始からの再生時間に応じて変えることを特徴とする請求項２〜７の何れかに記載のコンテンツ再生装置。
【請求項９】
第２所定期間の長さは第２所定期間開始からの再生時間に応じて変えることを特徴とする請求項６又は７記載のコンテンツ再生装置。
【請求項１０】
前記警告が再生を制限した回数を含むことを特徴とする請求項１〜９の何れかに記載のコンテンツ再生装置。
【発明の詳細な説明】
【技術分野】
【０００１】
本発明は、不正にコピーされたコンテンツの再生を制限する機能を有するコンテンツ再生装置に関する。
【背景技術】
【０００２】
従来から、光ディスク等の記録媒体に記録されたコンテンツ、放送や配信など伝送媒体を介して伝送されるコンテンツについて、ウォーターマーキングにより著作権の保護を図る手法が提案されている。一般的なウォーターマーキングは不可視的なウォーターマークを用いる。このウォーターマークは映像信号や音声信号に再生に影響が出ない程度に識別情報や著作権情報を埋め込む方式である。
【０００３】
例えば特許文献１には、使用者側機器は、情報信号に対して繰り返し重畳されている同一の関連情報を検出するための検出用信号を取り出すフィルタ部と、検出用信号を透かし検出サーバに送信し、検出用信号から検出された関連情報に対する処理結果を受信する通信部と、処理結果を用いて情報信号の処理を制限する制御部と、処理結果を警告管理サーバと通信可能に保存する透かし検出結果蓄積部を備えた情報処理装置が開示されている。
【０００４】
また特許文献２には、音又は映像を含むコンテンツを再生する再生手段と、前記再生手段により過去に再生されたコンテンツの識別情報のリストであるプレイリストを管理するプレイリスト管理手段と、過去に違法に複製されたコンテンツの識別情報のリストであるブラックリストを取得するブラックリスト取得手段と、前記プレイリストに含まれる何れかの識別情報が、前記ブラックリストに含まれる場合に、前記再生手段によるコンテンツの再生を制限する再生制限手段とを備えるコンテンツ再生装置が開示されている。
【０００５】
また特許文献３には、再生制限情報が付加されたプログラム情報を含む複数のプログラム情報を記録した記録媒体からプログラム情報を再生する情報再生装置であって、前記記録媒体に記録された複数のプログラム情報の連続再生を指定する連続再生指定手段と、前記再生制限情報に基づいて、再生禁止のプログラム情報であるか否かを判別する判別手段と、前記連続再生指定手段により前記プログラム情報の連続再生を開始させる制御手段と、を備え、前記制御手段は、前記連続再生開始後、前記判別手段により再生禁止のプログラム情報であると判別されたプログラム情報をスキップして再生動作を継続させるように構成した情報再生装置が開示されている。
【先行技術文献】
【特許文献】
【０００６】
【特許文献１】特開２００４−５４７１０号公報
【特許文献２】特許第４１２６６９９号公報
【特許文献３】特開２００２−３５８７２０号公報
【発明の概要】
【発明が解決しようとする課題】
【０００７】
しかしながら、上記の特許文献１〜３は不正コピーされたコンテンツを再生する度に警告や再生制限するものであり、つまり現在の動作に制限を加えるものであるため、現在の不正コピーされたコンテンツの視聴は抑制できても、今後の不正コピーの抑制には繋がらない可能性がある。
【０００８】
本発明は、今後の不正コピーの抑制に繋げることができるコンテンツ再生装置を提供することを目的とする。
【課題を解決するための手段】
【０００９】
上記目的を達成するために本発明は、コンテンツを再生する再生部と、再生するコンテンツが不正コピーされたコンテンツか否かを判別する判別部と、不正コピーされたコンテンツの再生を制限する再生制限部と、再生を制限した回数を記憶する記憶部と、第１所定回数以上再生を制限した場合に適時警告を出力する警告出力部と、を備えたコンテンツ再生装置とする。
【００１０】
この構成によれば、ユーザーはこれまでに不正コピーされたコンテンツを多く再生していることを知ることになる。よって、不正コピーされたコンテンツを多く再生していることを認識したユーザーに罪悪感を抱かせ、今後の不正コピーの抑制に繋げることができる。
【００１１】
上記のコンテンツ再生装置において、前記警告出力部は、第１所定期間に第１所定回数以上再生を制限した場合に適時警告を出力するようにしてもよい。
【００１２】
この構成によれば、ユーザーがある期間に集中して不正コピーされたコンテンツを再生した場合にはその期間だけ警告を出し、不正コピーされたコンテンツをほとんど再生していない期間には警告を出さないようにすることができる。
【００１３】
また上記のコンテンツ再生装置において、今後の不正コピーの抑制効果を高めるため、前記警告の出力は、コンテンツ再生装置を起動する度に行われることが望ましい。
【００１４】
また上記のコンテンツ再生装置において、今後の不正コピーの抑制効果を高めるため、前記警告の出力は、不正コピーされたコンテンツを再生する度に行われることが望ましい。
【００１５】
また上記のコンテンツ再生装置において、前記警告出力部は、第１所定期間経過後に警告の出力を停止することが望ましい。
【００１６】
この構成によれば、不正コピーされたコンテンツをほとんど再生しなくなった場合に警告を停止できる。
【００１７】
また上記のコンテンツ再生装置において、前記警告出力部は、第１所定期間に再生を制限した回数が第１所定回数より多い第２所定回数以上であった場合、第１所定期間に続く第１所定期間と同じ長さの第２所定期間では第１所定回数より少ない第３所定回数以上再生を制限した場合に適時警告を出力するようにしてもよい。
【００１８】
この構成によれば、ユーザーがある所定期間に集中して不正コピーされたコンテンツを再生した場合には、次の所定期間では不正コピーされたコンテンツの再生回数が少ない段階で警告が出される。
【００１９】
また上記のコンテンツ再生装置において、前記警告出力部は、第１所定期間に再生を制限した回数が第１所定回数より多い第２所定回数以上であった場合、第１所定期間に続く第２所定期間を第１所定期間より長くし、第２所定期間に第１所定回数以上再生を制限した場合に適時警告を出力するようにしてもよい。
【００２０】
この構成によれば、ユーザーがある所定期間に集中して不正コピーされたコンテンツを再生した場合には、次の所定期間は長くなり、不正コピーされたコンテンツの再生頻度が低くなっても警告が出される確率が高い。
【００２１】
また上記のコンテンツ再生装置において、第１所定期間の長さは第１所定期間開始からの再生時間に応じて変えるようにしてもよい。また、第２所定期間の長さは第２所定期間開始からの再生時間に応じて変えるようにしてもよい。
【００２２】
この構成によれば、装置の使用頻度に応じて所定期間を最適に変更でき、最適なタイミングでユーザーへ警告できる。
【００２３】
また上記のコンテンツ再生装置において、前記警告が再生を制限した回数を含むようにしてもよい。
【００２４】
この構成によれば、不正コピーされたコンテンツを多く再生していることをユーザーに認識させて罪悪感を抱かせ、今後の不正コピーの抑制に繋げることができる。
【発明の効果】
【００２５】
本発明によると、ユーザーはこれまでに不正コピーされたコンテンツを多く再生していることを知ることになる。よって、不正コピーされたコンテンツを多く再生していることを認識したユーザーに罪悪感を抱かせ、今後の不正コピーの抑制に繋げることができる。
【図面の簡単な説明】
【００２６】
【図１】本発明の一実施形態であるＨＤＤ一体型光ディスク装置の構成及びその周辺機器を示すブロック図である。
【図２】本発明の一実施形態であるＨＤＤ一体型光ディスク装置の警告の出力に関する動作を示すフローチャートである。
【図３】本発明の一実施形態であるＯＳＤ画面を示す図である。
【図４】本発明の一実施形態であるＯＳＤ画面を示す図である。
【図５】本発明の一実施形態であるＯＳＤ画面を示す図である。
【発明を実施するための形態】
【００２７】
以下に本発明のコンテンツ再生装置の一実施形態としてＨＤＤ（ハードディスクドライブ）一体型光ディスク装置を例に説明する。なお、コンテンツ再生装置としてはＣＤ、ＤＶＤ、ＢＤ等の光ディスク、ハードディスクなどを記録媒体とする再生装置や記録再生装置、テレビ受像機などが挙げられる。
【００２８】
図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の録画再生装置に代表される外部装置１２とが接続されている。本ＨＤＤ一体型光ディスク装置１０はＢＤ及びＤＶＤの録画／再生に対応している。またＨＤＤ一体型光ディスク装置１０は、リモコン１３によって操作可能である。
【００２９】
ＨＤＤ一体型光ディスク装置１０は、チューナ１６と、映像／音声圧縮伸長部１７と、ＨＤＤ記録再生部１８と、ＢＤ／ＤＶＤ記録再生部１９と、ＯＳＤ（On Screen Display）部２０と、映像出力部２１と、音声出力部２２と、メモリ２３と、リモコン受信部２４と、外部Ｉ／Ｆ２５と、制御部２６とを備えている。
【００３０】
チューナ１６は、アンテナ１５で受信したデジタルテレビ放送信号を復調、デジタル化する。映像／音声圧縮伸長部１７は、チューナ１６や外部装置１２から受け取った映像／音声データ（コンテンツ）をＭＰＥＧ２等に準拠して圧縮符号化したり、ＨＤＤ記録再生部１８又はＢＤ／ＤＶＤ記録再生部１９で再生された圧縮された映像／音声データを伸長復号したりする。
【００３１】
ＨＤＤ記録再生部１８は、映像／音声圧縮伸長部１７から受け取った圧縮された映像／音声データをＨＤＤに記録したり、ＨＤＤに記録されたデータを再生したりする。ＢＤ／ＤＶＤ記録再生部１９は、映像／音声圧縮伸長部１７から受け取った圧縮された映像／音声データを挿入されたＤＶＤ又はＢＤに記録したり、ＤＶＤ又はＢＤに記録されたデータを再生したりする。すなわち、ＨＤＤ記録再生部１８及びＢＤ／ＤＶＤ記録再生部１９は、コンテンツを再生する再生部とコンテンツを記録する記録部とを兼ねている。
【００３２】
ＯＳＤ部２０は、各種設定値を表示装置１１の一部に表示しながら設定できるようにする。映像出力部２１は、ＯＳＤ部２０からの映像信号をアナログ化し、表示装置１１へ出力する。音声出力部２２は、映像／音声圧縮伸長部１７からの音声信号をアナログ化し、表示装置へ出力する。
【００３３】
メモリ（記憶部）２３は、ＲＯＭやＲＡＭからなり、各種プログラムや各種データ等を記憶する。メモリ２３は、例えば、不正コピーされたコンテンツの再生を制限した回数を記憶する。リモコン受信部２４は、赤外線受光部等からなり、リモコン１３からの信号を受信する。外部Ｉ／Ｆ２５は、外部装置１２が接続される外部入力端子等からなる。
【００３４】
制御部２６は、マイクロプロセッサ等からなり、ＨＤＤ一体型光ディスク装置１０の各部を制御する。例えば、制御部２６は、再生するコンテンツが不正コピーされたコンテンツか否かを判別する判別部と、不正コピーされたコンテンツの再生を制限する再生制限部と、第１所定回数以上再生を制限した場合に適時警告を出力する警告出力部と、を備える。以下に、この警告の出力に関する制御について詳しく説明する。
【００３５】
図２は、ＨＤＤ一体型光ディスク装置１０の警告の出力に関する動作を示すフローチャートである。ユーザーによりリモコン１３の再生キー等が操作され、所望のコンテンツの再生要求があると、ステップＳ１０において制御部２６は、該当するコンテンツの再生を開始させる。それとともにステップＳ１１へ進んで、制御部２６は再生するコンテンツが不正コピーされたコンテンツか否かを判別する。不正コピーとはコピーが禁止されているにも関わらずコピーすることを指す。
【００３６】
不正コピーの検出手法には特に限定はなく、例えば、映像信号や音声信号に再生に影響が出ない程度に識別情報や著作権情報を埋め込む方式のウォーターマークを用いることができる。具体例として、Cinaviaでは音声にウォーターマークを埋め込むＡＷＭ（オーディオウォーターマーク）が用いられている。
【００３７】
ステップＳ１１において不正コピーされたコンテンツであると判断した場合、ステップＳ１２へ進んで不正コピーされたコンテンツの再生を制限するか否かを判別する。再生制限は、即時停止、一定時間再生後に停止、モザイク処理等の画像処理など、正規の視聴ができない状態にする手法であれば特に限定はなく、不正コピーを防止する各規格に沿って行えばよい。例えば、Cinaviaでは不正コピーされたコンテンツの場合、１０分又は２０分の規定時間再生した時点でエラーが出て再生を停止するような再生制限が規定されている。この場合の再生制限は規定時間再生した時点で停止させることである。したがって、規定時間未満の再生は許可される。
【００３８】
ステップＳ１２において再生制限すると判別した場合、ステップＳ１３へ進んで制御部２６はメモリ２３に記憶されている再生を制限した回数に１加算する。
【００３９】
ステップＳ１３からはステップＳ１４へ進んで、制御部２６は再生を制限した回数が第１所定回数以上であるか否かを判別する。第１所定回数は後のステップでユーザーへ不正コピーの警告を開始するまでの回数であり、その回数には特に限定はないが、例えば５回、１０回、５０回などとすることができる。
【００４０】
ステップＳ１４において第１所定回数以上再生を制限したと判別した場合、ステップＳ１５へ進んでエラーメッセージのＯＳＤ画面を読み出すとともに、警告メッセージをＯＳＤ部２０を介して表示装置１１へ出力する。例えば、表示装置１１に図３に示すようなＯＳＤ画面３０が表示される。ＯＳＤ画面３０には、「再生を停止しました。このコンテンツは不正にコピーされたものです。」というエラーメッセージ（再生制限のメッセージ）とともに、「これまでに再生制限した回数：５回」という警告メッセージが表示される。
【００４１】
なお、警告メッセージは、上記のような再生制限した回数を表示するものに限らず、図４に示すようなＯＳＤ画面４０を表示してもよい。ＯＳＤ画面４０には、「再生を停止しました。このコンテンツは不正にコピーされたものです。」というエラーメッセージとともに、「不正コピーされたコンテンツの再生回数が多くなっています。コンテンツの利用は正しく行いましょう。」という警告メッセージが表示される。このように、不正コピーされたコンテンツを多く再生していることをユーザーへ認識させるようなメッセージであればよい。
【００４２】
これにより、ユーザーは不正コピーされたコンテンツを再生したために再生が制限されたことを知るとともに、これまでに不正コピーされたコンテンツを多く再生していることも知ることになる。よって、不正コピーされたコンテンツを多く再生していることを認識したユーザーに罪悪感を抱かせ、今後の不正コピーの抑制に繋げることができる。
【００４３】
一方、ステップＳ１４において再生を制限した回数が第１所定回数未満であると判別した場合、ステップＳ１６へ進んで制御部２６はメモリ２３からエラーメッセージのＯＳＤ画面を読み出し、ＯＳＤ部２０を介して表示装置１１へ出力する。例えば、表示装置１１に図５に示すようなＯＳＤ画面５０が表示される。ＯＳＤ画面５０には、「再生を停止しました。このコンテンツは不正にコピーされたものです。」というようなエラーメッセージが表示される。
【００４４】
これにより、ユーザーは不正コピーされたコンテンツを再生したために再生が制限されたことを知る。
【００４５】
このような動作により、第１所定回数以上再生を制限した場合、不正コピーされたコンテンツを再生する度に警告が出力される。なお、警告は第１所定回数以上再生を制限した場合に適時出力すればよい。警告の出力は、上述したように、第１所定回数以上再生を制限した場合、不正コピーされたコンテンツを再生する度に行われるようにしてもよいし、第１所定回数以上再生を制限した場合、ＨＤＤ一体型光ディスク装置１０を起動する度に行われるようにしてもよい。また、それらを併用してもよい。ＨＤＤ一体型光ディスク装置１０を起動する度に警告する場合は、例えば、起動直後のメニュー画面に重畳して図４に示したＯＳＤ画面４０のうちの「不正コピーされたコンテンツの再生回数が多くなっています。コンテンツの利用は正しく行いましょう。」という警告メッセージを表示すればよい。
【００４６】
なお、警告の出力は所定期間（例えば一週間や半年間）経過後に停止することが望ましい。これにより、不正コピーされたコンテンツをほとんど再生しなくなった場合に警告を停止できる。この所定期間は、例えば不正コピーされたコンテンツを最後に再生した時からの期間としたり、カレンダーに基づいた期間としたり、後述する第１所定期間としたりすることができる。また、不正コピーされたコンテンツの再生が過去は多かったが最近は少なくなったことを検出して警告を停止するようにしてもよい。
【００４７】
また、第１所定期間に第１所定回数以上再生を制限した場合に適時警告を出力するようにしてもよい。これは連続する時間を所定期間（例えば一週間や半年間）で区切り、所定期間毎に図２の動作を行うということである。つまり、再生制限回数は所定期間毎にリセットされる。
【００４８】
これにより、ユーザーがある期間に集中して不正コピーされたコンテンツを再生した場合にはその期間だけ警告を出し、不正コピーされたコンテンツをほとんど再生していない期間には警告を出さないようにすることができる。
【００４９】
さらに進んで、第１所定期間に再生を制限した回数が第１所定回数より多い第２所定回数（例えば１０回、２０回、１００回など）以上であった場合、第１所定期間に続く第１所定期間と同じ長さの第２所定期間（例えば一週間や半年間）では第１所定回数より少ない第３所定回数（例えば２回、５回、１０回など）以上再生を制限した場合に適時警告を出力するようにしてもよい。
【００５０】
これは、連続する時間を同じ長さの所定期間（例えば一週間や半年間）で区切り、所定期間毎に図２の動作を行い、その際、１つ前の所定期間の再生制限の回数に基づいて、次の所定期間の警告を出すタイミングを変えるということである。
【００５１】
これにより、ユーザーがある所定期間に集中して不正コピーされたコンテンツを再生した場合には、次の所定期間では不正コピーされたコンテンツの再生回数が少ない段階で警告が出される。
【００５２】
また逆に、ある所定期間に不正コピーされたコンテンツをほとんど再生していない場合には、次の所定期間では不正コピーされたコンテンツの再生回数が多くなった段階で警告が出されるようにしてもよい。
【００５３】
他にも、第１所定期間に再生を制限した回数が第１所定回数より多い第２所定回数以上であった場合、第１所定期間に続く第２所定期間を第１所定期間より長くし、第２所定期間に第１所定回数以上再生を制限した場合に適時警告を出力するようにしてもよい。
【００５４】
これは、連続する時間を所定期間（例えば一週間や半年間）で区切り、所定期間毎に図２の動作を行い、その際、１つ前の所定期間の再生制限の回数に基づいて、次の所定期間の長さを変えるということである。
【００５５】
これにより、ユーザーがある所定期間に集中して不正コピーされたコンテンツを再生した場合には、次の所定期間は長くなり、不正コピーされたコンテンツの再生頻度が低くなっても警告が出される確率が高い。
【００５６】
また逆に、ユーザーがある所定期間に不正コピーされたコンテンツをほとんど再生していない場合には、次の所定期間を短くし、不正コピーされたコンテンツの再生頻度が高くならないと警告が出ないようにしてもよい。
【００５７】
なお、上記の各形態において、第１所定期間の長さは第１所定期間開始からの再生時間に応じて変えるようにしてもよい。また、第２所定期間の長さは第２所定期間開始からの再生時間に応じて変えるようにしてもよい。
【００５８】
例えば、第１又は第２所定期間内に不正コピーされたか否かに関わらずコンテンツが頻繁に再生され、累積の再生時間が長くなった場合は、その期間を短く変更することが考えられる。また逆に、第１又は第２所定期間内に不正コピーされたか否かに関わらずコンテンツがほとんど再生されず、累積の再生時間が短くなった場合は、その期間を長く変更することが考えられる。
【００５９】
これにより、装置の使用頻度に応じて所定期間を最適に変更でき、最適なタイミングでユーザーへ警告できる。
【００６０】
また、上記の各形態において、同じ不正コピーされたコンテンツを何回も再生した場合、通常よりも少ない制限回数に達した時点で警告するようにしてもよい。これにより、悪意のあるユーザーに対しては早めに警告することができる。
【００６１】
本発明は媒体に関係なく映像コンテンツ全てに適用できる。例えば、光ディスク等の記録媒体に記録されたコンテンツ、放送や配信など伝送媒体を介して伝送されたコンテンツなどである。
【００６２】
なお、上述した全ての形態は可能な範囲で組み合わせることができる。
【符号の説明】
【００６３】
１０  ＨＤＤ一体型光ディスク装置（コンテンツ再生装置）
１１  表示装置
１２  外部装置
１３  リモコン
１５  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  外部Ｉ／Ｆ
２６  制御部
【図１】
2014170608.tif 000003
【図２】
2014170608.tif 000004
【図３】
2014170608.tif 000005
【図４】
2014170608.tif 000006
【図５】
2014170608.tif 000007